(57)【要約】      （修正有）【課題】ガタ付きなくロックを行うことができて、電線カバーの脱落を確実に防止できるようにした電線カバーの装着構造を提供する。【解決手段】マットシールカバーの側壁４０ｄに、可撓係止アーム４２が設けられ、その先端内面に、可撓係止アーム４２の基端側に係止壁４２ｈを向けた係止凸部４２ｃが設けられ、可撓係止アーム４２の基端４２ａが結合された凸壁部４０ｅに、係止壁４２ｈを成形するための型抜き孔４０ｆが形成され、電線カバー５０の側壁５０ａに、可撓係止アーム４２の内側に挿入されて可撓係止アーム４２と係合するロック部５２が設けられている。ロック部５２は、可撓係止アーム４２を外方に押し開きながら進む押し開き部５２ａと、可撓係止アーム４２が初期位置に復帰した際に係止凸部４２ｃの係止壁４２ｈと係合する係止壁５２ｃとを有しており、ロック部５２の前端に、型抜き孔４０ｆに嵌まる突出片５２ｄが設けられている。【選択図】図５
2011082110.tif 000002
【特許請求の範囲】
【請求項１】
コネクタの後部に設けられた電線引出部に、該電線引出部から引き出された電線を覆う電線カバーが着脱自在に装着された電線カバーの装着構造において、
前記電線引出部の互いに対向する側壁に、基端が該側壁に結合され且つ自由端である先端が後方へ延ばされて前記側壁に交差する方向に撓み可能とされた可撓係止アームが設けられ、
それら各可撓係止アームの各先端の内面に、該可撓係止アームの基端側に係止壁を向けた係止凸部が設けられ、
前記係止凸部の前方の前記可撓係止アームの基端が結合された壁部に、前記係止凸部の係止壁を成形するための型抜き孔が形成され、
一方、前記電線カバーの互いに対向する側壁に、前記可撓係止アームの内側に挿入されることで該可撓係止アームと係合するロック部が設けられ、
該ロック部は、前記電線カバーの装着時に前記係止凸部と衝合することで前記可撓係止アームを外方に押し開きながら進む押し開き部と、この押し開き部の直後に設けられ、該押し開き部が前記係止凸部を越えた段階で前記可撓係止アームが初期の内方位置に弾性復帰した際に、該可撓係止アームの係合凸部の係止壁と係合することで、前記電線カバーの装着方向と逆方向への移動を規制するカバー側係止壁とを有しており、
前記ロック部の前端に、前記型抜き孔に嵌まる突出片が設けられていることを特徴とする電線カバーの装着構造。
【請求項２】
前記突出片の外周面または前記型抜き孔の内周面の少なくともいずれか一方に、前記突出片が前記型抜き孔に嵌ったとき、対面する前記型抜き孔の内周面または前記突出片の外周面に圧接することにより突出片と型抜き孔の間のガタを詰めるリブ突起が設けられていることを特徴とする請求項１に記載のコネクタ用電線カバーの装着構造。
【発明の詳細な説明】
【技術分野】
【０００１】
本発明は、例えばコネクタハウジングの後端から引き出された電線の束を保護しつつ該電線の束を所定の方向へ誘導するための電線カバーの装着構造に関するものである。
【背景技術】
【０００２】
図１４及び図１５は、特許文献１に開示されている電線カバーの装着構造の例を示している。
図１４（ａ）に示すように、合成樹脂製のコネクタハウジング３０１の後部に背面から見て略長方形状の電線引出部３０１ａが設けられており、この電線引出部３０１ａに、ワイヤーハーネスを構成する各電線を後方へ引き出すための電線引出孔３０１ｄが縦横に配列されて多数形成されている。
【０００３】
電線引出部３０１ａの左右両側壁３０１ｂの外面には、外方へ突出するロック凸部３０１ｃがそれぞれ設けられ、このロック凸部３０１ｃの前方の壁面には、ロック凸部３０１ｃを成形するための金型を抜き取る型抜き孔３０１ｅが形成されている。また、図１５（ａ）、（ｂ）に示すように、このロック凸部３０１ｃの上下方向の中央には、前後方向（嵌合方向Ｓと一致する方向）に突き抜けたスリット３０１ｈが設けられている。
【０００４】
一方、図１４（ｂ）および図１５（ａ）、（ｂ）に示すように、コネクタハウジング３０１の電線引出部３０１ａの外周に嵌合する合成樹脂製のカバー３０２の両側壁３０２ｂには、該カバー３０２を電線引出部３０１ａの外周に嵌合方向Ｓから嵌合させたとき、ロック凸部３０１ｃに係止されるロック孔３０２ｃがそれぞれ設けられている。また、各ロック孔３０２ｃには、該ロック孔３０２ｃがロック凸部３０１ｃに係合したときに、スリット３０１ｈに嵌まる突片３０２ｈが設けられている。更に、カバー３０２の両側壁３０２ｂの前端には、該カバー３０２を電線引出部３０１ａの外周に嵌合させたとき、コネクタハウジング３０１側の型抜き孔３０１ｅに嵌入する突出片３０２ｅがそれぞれ設けられている。
【０００５】
また、コネクタハウジング３０１の電線引出部３０１ａの電線引出面３０１ｆの上部には、四角形状のガイド凹部３０１ｇが設けられると共に、カバー３０２の前部には、該カバー３０２が電線引出部３０１ａの外周に嵌合するとき、ガイド凹部３０１ｇに嵌合方向Ｓから嵌入する四角形状のガイド凸部３０２ｇが設けられている。
【０００６】
この構成の電線カバーの装着構造では、コネクタハウジング３０１の電線引出部３０１ａの外周にカバー３０２を嵌合させると、図１５（ｂ）に示すように、ロック凸部３０１ｃにロック孔３０２ｃが係止されて、コネクタハウジング３０１にカバー３０２がロックされる。同時に、カバー３０２の突出片３０２ｅが、コネクタハウジング３０１の型抜き孔３０１ｅに嵌入される。
【０００７】
従って、このようにカバー３０２側の突出片３０２ｅが、コネクタハウジング３０１側の型抜き孔３０１ｅに嵌入することになるので、例えば、ワイヤハーネスが引っ張られる等をして、カバー３０２に開く方向の力が作用しても、突出片３０２ｅが型抜き孔３０１ｅで拘束されていることにより、側壁３０２ｂが開くのが阻止され、ロック孔３０２ｃがロック凸部３０１ｃから外れにくくなって、カバー３０２が脱落しなくなる。
【先行技術文献】
【特許文献】
【０００８】
【特許文献１】特開平８−１６７４４６号公報
【発明の概要】
【発明が解決しようとする課題】
【０００９】
ところで、電線カバー３０２のロック孔３０２ｃがロック凸部３０１ｃに係止される際には、突出片３０２ｅが前端に形成された電線カバーの側壁３０２ｂがいったん外側に撓んだ状態になり、そこから型抜き孔３０１ｅに突出片３０２ｅが挿入されることになる。その際、型抜き孔３０１ｅが形成された壁面に突出片３０２ｅの先端が突き当たってしまうと挿入不可となるので、突き当たらないように型抜き孔３０１ｅと突出片３０２ｅとの間には寸法的な余裕を持たせてあるのが普通である。
【００１０】
しかし、そのような寸法的な余裕が持たせてあると、型抜き孔３０１ｅと突出片３０２ｅとの間にガタが起こりやすくなり、そのガタにより電線カバー３０２が外れたり、電線カバー３０２に変形が生じたりするおそれが出てくる。
【００１１】
本発明は、上述した事情に鑑みてなされたものであり、その目的は、ガタ付きなくロックを行うことができて、電線カバーの脱落や変形を確実に防止できるようにした電線カバーの装着構造を提供することにある。
【課題を解決するための手段】
【００１２】
前述した目的を達成するために、本発明に係る電線カバーの装着構造は、下記（１）、（２）を特徴としている。
（１）  コネクタの後部に設けられた電線引出部に、該電線引出部から引き出された電線を覆う電線カバーが着脱自在に装着された電線カバーの装着構造において、
前記電線引出部の互いに対向する側壁に、基端が該側壁に結合され且つ自由端である先端が後方へ延ばされて前記側壁に交差する方向に撓み可能とされた可撓係止アームが設けられ、
それら各可撓係止アームの各先端の内面に、該可撓係止アームの基端側に係止壁を向けた係止凸部が設けられ、
前記係止凸部の前方の前記可撓係止アームの基端が結合された壁部に、前記係止凸部の係止壁を成形するための型抜き孔が形成され、
一方、前記電線カバーの互いに対向する側壁に、前記可撓係止アームの内側に挿入されることで該ロックアームと係合するロック部が設けられ、
該ロック部は、前記電線カバーの装着時に前記係止凸部と衝合することで前記可撓係止アームを外方に押し開きながら進む押し開き部と、この押し開き部の直後に設けられ、該押し開き部が前記係止凸部を越えた段階で前記可撓係止アームが初期の内方位置に弾性復帰した際に、該可撓係止アームの係合凸部の係止壁と係合することで、前記電線カバーの装着方向と逆方向への移動を規制するカバー側係止壁とを有しており、
前記ロック部の前端に、前記型抜き孔に嵌まる突出片が設けられていること。
（２）  上記（１）の構成の電線カバーの装着構造において、
前記突出片の外周面または前記型抜き孔の内周面の少なくともいずれか一方に、前記突出片が前記型抜き孔に嵌ったとき、対面する前記型抜き孔の内周面または前記突出片の外周面に圧接することにより突出片と型抜き孔の間のガタを詰めるリブ突起が設けられていること。
【００１３】
上記（１）の構成の電線カバーの装着構造によれば、電線カバーをロックする際に撓む必要のある可撓係止アームを設けた側（電線引出部側）に型抜き孔を形成するようにし、可撓係止アームと係合するロック部のある側（電線カバー）は、ロックの際に全く撓まずにすむようにしているため、ロック部の前端に設けた突出片と型抜き孔とをガタ付きなく嵌合できる寸法に設定することができ、これら突出片と型抜き孔との嵌まり合いにより、電線カバーの両側壁の開きを確実に防止することができる。また、電線引出部側に設けられた可撓係止アームは、電線カバー側のロック部とロックする際に外側に向けて撓むように設けられており、その外側に撓んだ可撓係止アームの内側に、電線カバー側のロック部が挿入されて、ロックが成立するようになっている。つまり、可撓係止アームが、電線カバーの側壁に設けたロック部の常に外側に位置するようになっているので、可撓係止アームによっても、確実に電線カバーの側壁の開きを抑えることができる。そのため、ロックの確実性が高まることで、ハーネステンションのような負荷が加わった場合にも、電線カバーの外れや変形を確実に防ぐことができる。
上記（２）の構成の電線カバーの装着構造によれば、突出片の外周面または型抜き孔の内周面の少なくともいずれか一方に相手側の周面に圧接してガタを詰めるリブ突起を設けているので、突出片と型抜き孔の嵌まり合い部のガタ付きをより確実に防止することができて、より確実に電線カバーの側壁の開きを抑えることができ、電線カバーの外れや変形を防ぐことができる。
【発明の効果】
【００１４】
本発明によれば、ガタ付きなくロックを行うことができるため、電線カバーの脱落や変形を確実に防止することができる。
【００１５】
以上、本発明について簡潔に説明した。更に、以下に説明される発明を実施するための形態を添付の図面を参照して通読することにより、本発明の詳細は更に明確化されるであろう。
【図面の簡単な説明】
【００１６】
【図１】本発明の第１実施形態の装着構造が適用されたコネクタユニットの分解斜視図である。
【図２】同コネクタユニットの部分組立状態を示す側面図である。
【図３】同コネクタユニットの部分組立状態を示す側断面図である。
【図４】図１に示すコネクタユニット構成部品の中のマットシールカバー（電線引出部に相当）の正面図である。
【図５】前記コネクタユニットを組み立てた際の一部の構成を示す拡大図であり、コネクタハウジングに組み付けたマットシールカバーに電線カバーをロックさせた部分の側断面図である。
【図６】図５に示した部分のロック途中の状態を示す側断面図である。
【図７】図５の要部を更に拡大して示す図である。
【図８】図７のＶＩＩＩ−ＶＩＩＩ矢視断面図である。
【図９】本発明の第２実施形態の装着構造が適用されたコネクタユニットの分解斜視図である。
【図１０】図９のコネクタユニットを組み立てた際の一部の構成を示す拡大図であり、コネクタハウジングの後部に電線カバーをロックさせた部分の側断面図である。
【図１１】図１０に示した部分のロック途中の状態を示す側断面図である。
【図１２】図１１の要部を更に拡大して示す図である。
【図１３】図１２のＸＩＩＩ−ＸＩＩＩ矢視断面図である。
【図１４】従来の電線カバーの装着構造の説明図で、（ａ）はコネクタの後部の構成を示す斜視図、（ｂ）は電線カバー側の構成を示す斜視図である。
【図１５】（ａ）は図１４の要部を取り出して示す拡大図、（ｂ）は（ａ）で示す部分のロックが行われた状態を示す断面図である。
【発明を実施するための形態】
【００１７】
以下、本発明の各実施形態を図面を参照して説明する。
《第１実施形態》
図１〜図８は本発明の第１実施形態の説明図であり、図１は第１実施形態の装着構造が適用されたコネクタユニットの分解斜視図、図２は同コネクタユニットの部分組立状態を示す側面図、図３は同コネクタユニットの部分組立状態を示す側断面図、図４は図１に示すコネクタユニット構成部品の中のマットシールカバー（電線引出部に相当）の正面図、図５はコネクタユニットを組み立てた際の一部の構成を示す拡大図であり、コネクタハウジングに組み付けたマットシールカバーに電線カバーをロックさせた部分の側断面図、図６は図５に示した部分のロック途中の状態を示す側断面図、図７は図５の要部を更に拡大して示す図、図８は図７のＶＩＩＩ−ＶＩＩＩ矢視断面図である。
【００１８】
図１に分解して示す、本実施形態の電線カバーの装着構造が適用されたコネクタユニットは、合成樹脂の成形品よりなるコネクタハウジング１１の中に多数の端子（図示略）を収容して構成した多芯型のコネクタ１０と、コネクタハウジング１１の外側に回動可能に装着されて、コネクタ１０を図示略の相手側のコネクタと嵌合する際に、矢印Ａ方向に回動操作されることで、てこの原理により、小さな回動操作力で大きな嵌合力を生じさせて、両コネクタの嵌合をスムーズに行わせる合成樹脂の成形品よりなるレバー１２と、コネクタハウジング１１の後部に嵌め込まれて、コネクタハウジング１１に収容した各端子から延びる電線とコネクタハウジング１１との隙間をシールするゴム製または柔軟樹脂製のマットシール３０と、コネクタハウジング１１の後部に嵌合固定されて、前記マットシール３０を後側から押圧しつつ脱落防止する合成樹脂製のマットシールカバー４０（後述するように、このマットシールカバー４０がコネクタの電線引出部に相当する部分となる）と、マットシールカバー４０に装着されて、該マットシールカバー４０の後側から引き出された電線の束を保護しつつ該電線の束を所定の方向へ誘導するための合成樹脂の成形品よりなる電線カバー５０と、からなる。
【００１９】
レバー１２は、図１及び図２に示すように、コネクタハウジング１１の両サイド外面に突設したボス１３にレバー１２の取付孔１４を嵌めることで、回動可能に設けられており、相手コネクタとの嵌合前は、図示の仮係止位置に保持されている。そして、コネクタ嵌合の際に、相手コネクタのハウジングに突設した凸部（図示略）を、レバー１２とコネクタハウジング１１に設けた入口１５から、カム溝１６の一端に受け入れた状態で、レバー１２を図１中の矢印Ａ方向に回動させることにより、カム溝１６の作用によって、カム溝１６に沿ってスライドする凸部を介して、相手コネクタを、当該コネクタ１０側に引き込んで、両コネクタを嵌合させることができるようになっている。
【００２０】
図３に示すように、コネクタハウジング１１の後部には、後面から見て略四角形状をなし、内側にマットシール３０が嵌め込まれる筒壁部１７が設けられており、その筒壁部１７の互いに対向する上壁部分と下壁部分の外周には、マットシールカバー４０をロックするためのロック凸部１８が設けられている。
【００２１】
また、マットシールカバー４０は、図１に示すように、コネクタハウジング１１の筒壁部１７の形状に対応した筒状周壁４０ａと、マットシール３０を押圧できるように筒状周壁４０ａの内側に設けられた肉厚の押圧面板部４０ｂとを持つもので、押圧面板部４０ｂには、電線をそれぞれ引き出すために各端子の位置に対応して配された多数の電線引出孔４０ｃが設けられている。また、筒状周壁４０ａの上壁部分と下壁部分には、マットシールカバー４０をコネクタハウジング１１に組み付けた際に、コネクタハウジング１１のロック凸部１８に係合するロック部４１が設けられている。このマットシールカバー４０をコネクタハウジング１１の後部に装着した際には、このマットシールカバー４０の後面から後方に電線が引き出されることになるので、マットシールカバー４０がコネクタ１０の電線引出部に相当する部分となる。
【００２２】
本実施形態では、このマットシールカバー（電線引出部に相当する）４０に電線カバー５０が装着固定されるようになっており、マットシールカバー４０の押圧面板部４０ｂの後端側の互いに対向する左右側壁４０ｄに、電線カバー５０をロックするためのロック部としての可撓係止アーム４２が設けられている。
【００２３】
この可撓係止アーム４２は、図５〜図７に示すように、基端４２ａが、マットシールカバー４０の側壁４０ｄの外面の後端縁より前側に突設された凸壁部４０ｅに結合され、且つ、自由端である先端４２ｂが側壁４０ｄの外面と略平行に後方へ延ばされて、側壁４０ｄに交差する方向に撓み可能とされており、可撓係止アーム４２の各先端４２ｂの内面には、可撓係止アーム４２の基端４２ａ側に係止壁４２ｆを向けた係止凸部４２ｃが設けられている。また、係合凸部４２ｃの先端面には、後述する電線カバー５０側のロック部５２の押し開き部５２ａの挿入を容易にする斜面４２ｄが設けられている。また、係止凸部４２ｃの前方に位置する、可撓係止アーム４２の基端４２ａが結合された凸壁部４０ｅには、係止凸部４２ｃの係止壁４２ｈを成形するための断面長方形の型抜き孔４０ｆが形成されている。
【００２４】
一方、図１に示すように、電線カバー５０は、内部に電線を誘導するための空間５８を持つ略椀型のもので、互いに対向する左右側壁５０ａには、可撓係止アーム４２と側壁４０ｄとの間の隙間に挿入されることで、可撓係止アーム４２と係合するロック部５２が設けられている。
【００２５】
このロック部５２は、図６に示すように、電線カバー５０の装着時に、可撓係止アーム４２の係止凸部４２ｃと衝合することで、可撓係止アーム４２を外方に押し開きながら進む押し開き部５２ａと、この押し開き部５２ａの直後に設けられ、押し開き部５２ａが係止凸部４２ｃを越えた段階で可撓係止アーム４２が初期の内方位置に弾性復帰した際に、図５及び図７に示すように、可撓係止アーム４２の係合凸部４２ｃの係止壁４２ｈと係合して、それにより、電線カバー５０の装着方向と逆方向への移動を規制するカバー側係止壁５２ｃとを有している。このカバー側係止壁５２ｃは、側壁５０ａの外面に設けた凹所の内側壁により構成されている。
【００２６】
また、ロック部５２の押し開き部５２ａの先端面には、マットシールカバー４０側の型抜き孔４０ｃに嵌まる突出片５２ｄが突設されている。更に、押し開き部５２ａの先端面には、マットシールカバー４０の凸壁部４０ｅに突き当たることで、ロック部５２の挿入方向の位置決めを行う突当部５２ｂが設けられている。
【００２７】
また、図８に示すように、型抜き孔４０ｆに挿入される突出片５２ｄの外周面には、突出片５２ｄが型抜き孔４０ｆに嵌ったときに、対面する型抜き孔４０ｆの内周面に圧接することにより、突出片５２ｄと型抜き孔４０ｆとの間のガタを詰める複数のリブ突起５２ｅが設けられている。これらのリブ突起５２ｅは、周方向に適当な間隔を開けて設けられており、本実施形態では、長方形断面の突出片５２ｄの短辺側の両外側面に１つずつと、長辺側の両外側面に２つずつ設けられている。これらリブ突起５２ｅは、型抜き孔４０ｆに対する突出片５２ｄの挿入方向に沿って延びる連続した凸条として設けられている。
【００２８】
次に作用を説明する。
図１に示すコネクタユニットを組み立てる場合は、コネクタ１０を構成するコネクタハウジング１１にレバー１２を組み付け、コネクタハウジング１１の後部にマットシール３０を嵌め込んで、マットシール３０を押圧しながら、マットシールカバー４０をコネクタハウジング１１の後部に装着固定する。図３はその状態を示しており、マットシールカバー４０のロック部４１がコネクタハウジング１１のロック凸部１８に係合することで、マットシールカバー４０がコネクタハウジング１１に固定されている。この状態において、マットシールカバー４０の電線引出孔４０ｃから後方へ多数の電線が引き出された形になる。従って、マットシールカバー４０がコネクタ１の電線引出部に相当する部分になる。
【００２９】
次に、後方に引き出されている電線を内側の空間５８に入るように拾いながら、電線カバー５０をマットシールカバー４０に装着する。その場合、まず電線カバー５０の正面をマットシールカバー４０の後面に正対させ、その姿勢のまま、電線カバー５０をマットシールカバー４０側に押し移動することで、電線カバー５０の左右側壁５０ａに設けてあるロック部５２を、マットシールカバー４０の左右側壁４０ｄに設けてあるロックアーム４２と側壁４０ｄとの間の隙間に差し込む。
【００３０】
そうすると、図６に示すように、ロック部５２の押し開き部５２ａの前端に設けてある突出片５２ｄが、ロックアーム４２の係合凸部４２ｃの先端の斜面４２ｄに当たることで、ロックアーム４２の自由端を外に押し開きながら、ロック部５２が前方へ進み、押し開き部５２ａが係止凸部４２ｃを越えた段階で、図５及び図７に示すように、可撓係止アーム４２が初期の内方位置に弾性復帰することで、可撓係止アーム４２の係合凸部４２ｃの係止壁４２ｈと、電線カバー５０側の係止壁５２ｃとが係合する。それにより、電線カバー５０が後方へ脱落しないように止められる。
【００３１】
また、その際、同時に、突出片５２ｄがマットシールカバー４０の凸壁部４０ｅに設けた型抜き孔４０ｆに嵌まるので、電線カバー５０の側壁５０ａが外に開かないように規制される。また、ロック部５２の押し開き部５２ａの先端面に設けた突当部５２ｂが、マットシールカバー４０の凸壁部４０ｅの後端面に突き当たることで、ロック部５２のそれ以上の差し込みが規制される。この状態のとき、突出片５２ｄは、図７中にＨで示す寸法だけ型抜き孔４０ｆ内に入り込んでおり、この入り込んだ部分で、電線カバー５０の側壁５０ａの開きが規制される。
【００３２】
また、突出片５２ｄが型抜き孔４０ｆに挿入されたとき、図８に示すように、突出片５２ｄの外周面に設けた複数のリブ突起５２ｅが型抜き孔４０ｆの内周面に圧接するので、突出片５２ｄと型抜き孔４０ｆはきつく嵌まった状態なる。
【００３３】
以上の説明のように、この実施形態のコネクタユニットに適用した電線カバーの装着構造によれば、電線カバー５０をロックする際に撓む必要のある可撓係止アーム４２を設けた側（マットシールカバー４０側）に型抜き孔４０ｆを形成するようにし、可撓係止アーム４２と係合するロック部５２のある側（電線カバー５０）は、ロックの際に全く撓まずにすむようにしているため、ロック部５２の前端に設けた突出片５２ｄと型抜き孔４０ｆとをガタ付きなく嵌合できる寸法に設定することができる。そのため、これら突出片５２ｄと型抜き孔４０ｆとの嵌まり合いにより、電線カバー５０の両側壁５０ａの開きを確実に防止することができる。
【００３４】
また、マットシールカバー４０側に設けられた可撓係止アーム４２は、電線カバー５０側のロック部５２とロックする際に外側に向けて撓むように設けられており、その外側に撓んだ可撓係止アーム４２の内側に、電線カバー５０側のロック部５２が挿入されて、ロックが成立するようになっているので、つまり、可撓係止アーム４２が、電線カバー５０の側壁５０ａに設けたロック部５２の常に外側に位置するようになっているので、可撓係止アーム４２によっても、確実に電線カバー５０の側壁５０ａの開きを抑えることができる。
【００３５】
従って、ロックの確実性が高まることで、電線カバー５０の保持力向上を図ることができ、ハーネステンション負荷時にも電線カバー５０の外れや変形を確実に防ぐことができる。
【００３６】
また、突出片５２ｄの外周面にはガタ詰め用のリブ突起５２ｅが設けられているので、突出片５２ｄと型抜き孔４０ｆの嵌まり合い部分のガタ付きを確実に防止することができ、より確実に電線カバー５０の側壁５０ａの開きを抑えることができ、電線カバー５０の外れを防ぐことができる。
【００３７】
《第２実施形態》
図９〜図１３は、本発明の第２実施形態の説明図であり、図９は第２実施形態の装着構造が適用されたコネクタユニットの分解斜視図、図１０は図９のコネクタユニットを組み立てた際の一部の構成を示す拡大図であり、コネクタハウジングの後部に電線カバーをロックさせた部分の側断面図、図１１は図１０に示した部分のロック途中の状態を示す側断面図、図１２は図１１の要部を更に拡大して示す図、図１３は図１２のＸＩＩＩ−ＸＩＩＩ矢視断面図である。
【００３８】
前述した第１実施形態では、マットシール３０やマットシールカバー４０がある場合のコネクタユニットについて説明したが、第２実施形態では、マットシールやマットシールカバーのない場合のコネクタユニットについて説明する。
【００３９】
図９に分解して示す、本実施形態の電線カバーの装着構造が適用されたコネクタユニットは、合成樹脂の成形品よりなるコネクタハウジング１１１の中に多数の端子（図示略）を収容して構成した多芯型のコネクタ１１０と、コネクタハウジング１１１の外側に回動可能に装着されて、コネクタ１１０を図示略の相手側のコネクタと嵌合する際に回動操作されることで、てこの原理により、小さな回動操作力で大きな嵌合力を生じさせて、両コネクタの嵌合をスムーズに行わせる合成樹脂の成形品よりなるレバー１１２と、コネクタハウジング１１１の後部の電線引出部１４０から後方へ引き出された電線の束を保護しつつ該電線の束を所定の方向へ誘導するための合成樹脂の成形品よりなる電線カバー１５０と、からなる。なお、レバー１１２や電線カバー１５０が必要な理由は、先に述べた理由と同様である。
【００４０】
レバー１１２は、コネクタハウジング１１１の両サイド外面に突設したボス１１３により、回動可能に支持されており、第１実施形態と同様の役割を果たす。
【００４１】
コネクタハウジング１１１の後部は、多数の電線が引き出される電線引出部１４０となっており、その電線引出部１４０の互いに対向する左右側壁１４０ｄに、電線カバー１５０をロックするためのロック部としての可撓係止アーム１４２が設けられている。
【００４２】
この可撓係止アーム１４２は、図１０〜図１２に示すように、基端１４２ａが、電線引出部１４０の側壁１４０ｄの外面に突設された凸壁部１４０ｅに結合され、且つ、自由端である先端１４２ｂが後方へ延ばされて、側壁１４０ｄに交差する方向に撓み可能とされており、可撓係止アーム１４２の各先端１４２ｂの内面には、可撓係止アーム１４２の基端１４２ａ側に係止壁１４２ｆを向けた係止凸部１４２ｃが設けられている。また、係合凸部１４２ｃの先端面には、後述する電線カバー１５０側のロック部１５２の押し開き部１５２ａの挿入を容易にする斜面１４２ｄが設けられている。また、係止凸部１４２ｃの前方に位置する、可撓係止アーム１４２の基端１４２ａが結合された凸壁部１４０ｅには、係止凸部１４２ｃの係止壁１４２ｈを成形するための断面長方形の型抜き孔１４０ｆが形成されている。
【００４３】
一方、図９に示すように、電線カバー１５０は、内部に電線を誘導するための空間１５８を持つ略椀型のもので、互いに対向する左右側壁１５０ａには、可撓係止アーム１４２の内側に挿入されることで、可撓係止アーム１４２と係合するロック部１５２が設けられている。
【００４４】
このロック部１５２は、図１０に示すように、電線カバー１５０の装着時に、可撓係止アーム１４２の係止凸部１４２ｃと衝合することで、可撓係止アーム１４２を外方に押し開きながら進む押し開き部１５２ａと、この押し開き部１５２ａの直後に設けられ、押し開き部１５２ａが係止凸部１４２ｃを越えた段階で可撓係止アーム１４２が初期の内方位置に弾性復帰した際に、図５及び図７に示すように、可撓係止アーム１４２の係合凸部１４２ｃの係止壁１４２ｈと係合することで、電線カバー１５０の装着方向と逆方向への移動を規制するカバー側係止壁１５２ｃとを有している。また、ロック部１５２の押し開き部１５２ａの先端面には、コネクタハウジング１１１側の型抜き孔１４０ｆに嵌まる突出片１５２ｄが突設されている。更に、押し開き部１５２ａの先端面には、マットシールカバー１４０の凸壁部１４０ｅに突き当たることで、ロック部１５２の挿入方向の位置決めを行う突当部１５２ｂが設けられている。
【００４５】
また、図１３に示すように、型抜き孔１４０ｆに挿入される突出片１５２ｄの外周面には、突出片１５２ｄが型抜き孔１４０ｆに嵌ったときに、対面する型抜き孔１４０ｆの内周面に圧接することにより、突出片１５２ｄと型抜き孔１４０ｆとの間のガタを詰める複数のリブ突起１５２ｅが設けられている。これらのリブ突起１５２ｅは、周方向に適当な間隔を開けて設けられており、本実施形態では、長方形断面の突出片１５２ｄの短辺側の両外側面に１つずつと、長辺側の両外側面に１つずつ設けられている。これらリブ突起１５２ｅは、型抜き孔１４０ｆに対する突出片１５２ｄの挿入方向に沿って連続した凸条として設けられている。
【００４６】
次に作用を説明する。
図９に示すコネクタユニットを組み立てる場合は、コネクタ１１０を構成するコネクタハウジング１１１にレバー１１２を組み付け、コネクタハウジング１１１の後部に位置する電線引出部１４０に、後方に引き出されている電線を内部の空間１５８に入るように拾いながら、電線カバー１５０を装着する。その場合、まず電線カバー１５０の正面をコネクタハウジング１１１の後面に正対させ、その姿勢のまま、電線カバー１５０をコネクタハウジング１１１側に押し移動することで、電線カバー１５０の左右側壁１５０ａに設けてあるロック部１５２を、コネクタハウジング１１１の電線引出部１４０の左右側壁１４０ｄに設けてあるロックアーム１４２の内側に挿入する。
【００４７】
そうすると、図１１に示すように、ロック部１５２の押し開き部１５２ａの前端に設けてある突出片１５２ｄが、ロックアーム１４２の係合凸部１４２ｃの先端の斜面１４２ｄに当たることで、ロックアーム１４２の自由端を外に押し開きながら、ロック部１５２が前方へ進み、押し開き部１５２ａが係止凸部１４２ｃを越えた段階で、図１０及び図１２に示すように、可撓係止アーム１４２が初期の内方位置に弾性復帰することで、可撓係止アーム１４２の係合凸部１４２ｃの係止壁１４２ｈと電線カバー１５０側の係止壁１５２ｃとが係合し、それにより、電線カバー１５０が後方へ脱落しないように止められる。
【００４８】
また、その際同時に、突出片１５２ｄがコネクタハウジング１１１の電線引出部１４０の凸壁部１４０ｅに設けた型抜き孔１４０ｆに嵌まるので、電線カバー１５０の側壁１５０ａが外に開かないように規制される。また、ロック部１５２の押し開き部１５２ａの先端面に設けた突当部１５２ｂが、電線引出部１４０の凸壁部１４０ｅの端面に突き当たることで、ロック部１５２のそれ以上の差し込みが規制される。この状態のとき、突出片１５２ｄは、図１２中にＨで示す寸法だけ型抜き孔１４０ｆ内に入り込んでおり、この入り込んだ部分で、電線カバー１５０の側壁１５０ａの開きが規制される。
【００４９】
また、突出片１５２ｄが型抜き孔１４０ｆに挿入されたとき、図１３に示すように、突出片１５２ｄの外周面に設けた複数のリブ突起１５２ｅが型抜き孔１４０ｆの内周面に圧接するので、突出片１５２ｄと型抜き孔１４０ｆはきつく嵌まった状態なる。
【００５０】
以上の説明のように、この実施形態のコネクタユニットに適用した電線カバーの装着構造によれば、電線カバー１５０をロックする際に撓む必要のある可撓係止アーム１４２を設けた側（コネクタハウジング１１１の電線引出部１４０側）に型抜き孔１４０ｆを形成するようにし、可撓係止アーム１４２と係合するロック部１５２のある側（電線カバー１５０）は、ロックの際に全く撓まずにすむようにしているため、ロック部１５２の前端に設けた突出片１５２ｄと型抜き孔１４０ｆとをガタ付きなく嵌合できる寸法に設定することができる。そのため、これら突出片１５２ｄと型抜き孔１４０ｆとの嵌まり合いにより、電線カバー１５０の両側壁１５０ａの開きを確実に防止することができる。
【００５１】
また、マットシールカバー４０側に設けられた可撓係止アーム１４２は、電線カバー１５０側のロック部１５２とロックする際に外側に向けて撓むように設けられており、その外側に撓んだ可撓係止アーム１４２の内側に、電線カバー１５０側のロック部１５２が挿入されて、ロックが成立するようになっているので、つまり、可撓係止アーム１４２が、電線カバー１５０の側壁１５０ａに設けたロック部１５２の常に外側に位置するようになっているので、可撓係止アーム１４２によっても、確実に電線カバー１５０の側壁１５０ａの開きを抑えることができる。
【００５２】
従って、ロックの確実性が高まることで、電線カバー１５０の保持力向上を図ることができ、ハーネステンション負荷時にも電線カバー１５０の外れや変形を確実に防ぐことができる。
【００５３】
また、突出片１５２ｄの外周面にはガタ詰め用のリブ突起１５２ｅが設けられているので、突出片１５２ｄと型抜き孔１４０ｆの嵌まり合い部分のガタ付きを確実に防止することができ、より確実に電線カバー１５０の側壁１５０ａの開きを抑えることができ、電線カバー１５０の外れを防ぐことができる。
【００５４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
例えば、上記各実施形態では、突出片５２ｄ、１５２ｄの外周面にリブ突起５２ｅ、１５２ｅを設けているが、型抜き孔４０ｆ、１４０ｆの内周面にリブ突起を設けていても、同様の効果を得ることができる。
【００５６】
また、上記各実施形態では、コネクタの後部に装着したマットシールカバーと電線カバーの間に本発明を適用した場合、またコネクタと電線カバーの間に本発明を適用した場合を説明したが、本発明は、ジャンクションブロックやリレーブロック等の電線引出部と電線カバーとの間にも適用できる。
【符号の説明】
【００５７】
１０  コネクタ
１１  コネクタハウジング
４０  マットシールカバー（電線引出部）
４０ｄ  側壁
４０ｅ  凸壁部
４０ｆ  型抜き孔
４２  ロックアーム
４２ａ  基端
４２ｂ  先端
４２ｃ  係止凸部
５０  電線カバー
５０ａ  側壁
５２  ロック部
５２ａ  押し開き部
５２ｂ  突当部
５２ｃ  係止壁
５２ｄ  突出片
５２ｅ  リブ突起
１１０  コネクタ
１１１  コネクタハウジング
１４０  電線引出部
１４０ｄ  側壁
１４０ｅ  凸壁部
１４０ｆ  型抜き孔
１４２  ロックアーム
１４２ａ  基端
１４２ｂ  先端
１４２ｃ  係止壁
１５０  電線カバー
１５０ａ  側壁
１５２  ロック部
１５２ａ  押し開き部
１５２ｂ  突当部
１５２ｃ  係止壁
１５２ｄ  突出片
１５２ａ  リブ突起
【図１】
2011082110.tif 000003
【図２】
2011082110.tif 000004
【図３】
2011082110.tif 000005
【図４】
2011082110.tif 000006
【図５】
2011082110.tif 000007
【図６】
2011082110.tif 000008
【図７】
2011082110.tif 000009
【図８】
2011082110.tif 000010
【図９】
2011082110.tif 000011
【図１０】
2011082110.tif 000012
【図１１】
2011082110.tif 000013
【図１２】
2011082110.tif 000014
【図１３】
2011082110.tif 000015
【図１４】
2011082110.tif 000016
【図１５】
2011082110.tif 000017